【事件の表示】
　平成１１年特許願第　４４７０４号「照明装置付き音楽用電子機器」拒絶査定不服審判事件〔平成１２年　９月　８日出願公開、特開２０００−２４３１３１号〕について、次のとおり審決する。
【結　論】
　本件審判の請求は、成り立たない。
【理　由】
１．手続の経緯・本願発明
　本願は、出願日が平成１１年２月２３日の出願であって、その請求項１に係る発明（以下、「本願発明」という。）は、当審の平成１７年７月７日付け拒絶理由通知に対し、平成１７年９月８日付けの手続補正書により補正された明細書及び図面の記載からみて、次のとおりのものと認める。
「照明装置を備え、音楽用情報を表示する表示部と、
　音声や楽器音の入力を受け、オーディオ信号を出力するオーディオ入力部材と、
　前記オーディオ入力部材から出力された前記オーディオ信号のレベルが予め設定されたレベル以上であった場合、前記オーディオ信号を処理して作成した音楽用情報を前記表示部に出力し、前記照明装置を点灯させる制御信号を前記照明装置に出力する制御部とを有し、
　前記オーディオ信号は、前記音楽用情報を作成するために処理される信号であって、そのレベルに応じて音楽用情報の作成を制御する信号である
　調律器または楽器音効果付与装置からなることを特徴とする照明装置付き音楽用電子機器。」
　
２．引用例
２−１．当審の拒絶の理由に引用した、実願昭６２−８８２０８号（実開昭６３−１９９２９６号）のマイクロフィルム（以下、「引用例１」という。）には、「メトロノーム機能付調律器」に関して、以下の事項が図面とともに記載されている。
（１）（実用新案登録請求の範囲）
「楽器の音あるいは電気信号と基準となる信号との周波数偏差を楽器用調律器の液晶表示部に表示する調律器において、楽器の音などを入力する入力回路と、前記入力回路からの信号を波形整形する波形整形回路と、基準信号発生回路と、前記基準信号発生回路の出力信号と前記波形整形回路の波形整形された出力信号を受けて、波形整形された出力信号からピッチを抽出し、抽出したピッチと基準となる周波数との偏差を求め調律判定を行うピッチ抽出演算部と、前記ピッチ抽出演算部の出力信号を受けて液晶表示のセグメントに対応させるための表示データに変換するアドレス指定変換回路と、……、調律機能またはメトロノーム機能を設定し切換回路部を制御する機能設定回路と、前記アドレス指定変換回路の出力信号と……を受け、前記機能設定回路の出力信号が調律機能の場合は前記アドレス指定変換回路の出力信号を、……選択する切換回路と、前記切換回路の出力信号を受け液晶表示する液晶表示部を備えたことを特徴とするメトロノーム機能付調律器。」
（２）（明細書第７頁第４行〜第８頁第３行）
「第１図中１は、入力回路であり入力回路１により被調律音が入力される。前記入力回路１の出力に接続された波形整形回路２は、入力信号を信号処理しやすいように波形整形する。前記波形整形回路２の出力信号とクロック信号を発生する基準信号発生回路５の出力信号を受けて、被調律信号のピッチを抽出し、抽出したピッチと基準となる周波数（基準周波数と呼ぶ）との偏差分を求めるために比較演算を行い算出するピッチ抽出演算部３を有し、前記ピッチ演算部３の出力に接続されたアドレス指定変換部４より前記ピッチ抽出演算部３の出力信号を液晶表示のセグメントに対応させるためのアドレスデータに変換し切換回路部１１に出力する。切換回路部１１は、スイッチ回路からなる機能設定回路６の出力信号を受け前記機能設定回路６の出力信号が調律機能を示す場合は前記アドレス指定変換部４の出力信号を液晶表示部１２へ出力し、液晶表示部１２より調律偏差が表示される。以上の構成要因が調律機能の回路である。」
（３）（明細書第１５頁第１２〜１４行）
「液晶表示部を調律機能用とメトロノーム機能用に回路が簡単に兼用化が計られ、しかも従来のＬＥＤメータの欠点であった表示部の低消費電力化や低コスト化及び軽薄短小化が実現できるという効果があり、」
　
　以上のことから、引用例１には、次の発明（以下、「引用発明」という。）が記載されていると認められる。
「楽器の音あるいは電気信号と基準となる信号との周波数偏差を液晶表示部に表示する調律器において、楽器の音などを入力する入力回路と、入力回路からの信号を波形整形する波形整形回路と、基準信号発生回路と、前記基準信号発生回路の出力信号と前記波形整形回路の波形整形された出力信号を受けて、波形整形された出力信号からピッチを抽出し、抽出したピッチと基準となる周波数との偏差を求め調律判定を行うピッチ抽出演算部と、前記ピッチ抽出演算部の出力信号を受けて液晶表示のセグメントに対応させるための表示データに変換するアドレス指定変換回路とを有し、ピッチ抽出演算部からの出力信号を液晶表示部に出力し、液晶表示する液晶表示部を備えた調律器」。
　
２−２．また、同じく拒絶の理由に引用された、特開平９−２７８４４号公報（以下、「引用例２」という。）には、下記の事項が記載されている。
（ア）（【０００１】）
「【産業上の利用分野】本発明は表示能付き携帯電話機に関し、特に表示手段として液晶ディスプレイを用いＬＥＤで構成されたバックライトを用いて液晶面を照射するようにした表示機能付き携帯電話機に関する。」
（イ）（【０００４】）
「携帯電話機は、当然バッテリー（主として充電式）駆動であるから、消費電力は最小限に抑える必要がある。その結果、表示手段（部）は液晶ディスプレイとなるが、周囲が暗い場合は文字を識別することがきわめて困難となる。従って、通常ＬＥＤで構成されたバックライトで液晶面を照射することで文字の識別を可能とする方法がとられる。」
（ウ）（【０００５】）
「しかしＬＥＤのバックライトは、携帯電話機の他の部分に比べると、消費電力が大きく決して無視できない。従って必要な場合のみ、最小限バックライトを点灯するように工夫することが重要である。」
（エ）（【０００８】）
「本発明の目的は、必要な時にはバックライトを、意識的に特別なことをすることなく点灯し、不必要な時には確実にバックライトを消灯して、消費電力を最小限にした表示機能付き携帯電話機を提供することである。」
（オ）（【０００９】）
「【課題を解決するための手段】本発明によれば、表示機能付き携帯電話機であって、周囲の明るさに応じて表示部分を照射するバックライトの点灯制御をなす点灯制御手段を有することを特徴とする表示機能付き携帯電話機が得られる。」
（カ）（【００１０】）
「更に、前記点灯制御手段は、通話開始キー操作及び着呼のいずれかに応答して前記表示部を点灯せしめ、点灯後一定時間経過及び音声入力のいずれかに応答して前記表示部を消灯せしめることを特徴としている。」
（キ）（【００１２】）
「更には、前記音声入力の検出のための音声入力検出手段と、周囲雑音検出様の周囲雑音検出手段と、前記音声検出手段の出力から前記周囲雑音検出手段により検出された周囲雑音を消去する雑音消去手段とを有し、この雑音消去後の出力を前記点灯制御手段への音声入力とするようにしたことを特徴としている。」
（ク）（【００１３】）
「【作用】周囲の明るさ、キー入力操作、音声入力などを検出してこれ等の状態に従って一定時間バックライトを点灯制御して消費電力の削減を有効に図る。」
　
２−３．更に、同じく拒絶の理由に引用された、実願昭６０−１８００６５号（実開昭６２−８６７００号）のマイクロフィルム（以下、「引用例３」という。）には、以下の事項が図面とともに記載されている。
（あ）（（実用新案登録請求の範囲）
「照明用ランプと、音、声あるいは雑音を検出する検出回路と、検出回路の検出信号を受けてセットされ照明用ランプをオンさせるとともに所定時間後にリセットされて照明用ランプをオフさせるタイマー付き制御回路と、タイマー付き制御回路をセット、リセットを行うメカニカルスイッチを備えたことを特徴とする照明器具」。
（い）（明細書第４頁第１０〜１２行）
「第１図において、４は音、声、雑音等を検出し、その検出レベルも調整可能な音声雑音検出回路、」
（う）（明細書第６頁第１６〜１９行）
「又、音、声あるいは雑音が発生しなくなって一定時間経過するとランプは自動的に消灯されるので、消し忘れによる電気を浪費を防ぐことができる。」
　
３．対比
　そこで、本願発明と引用発明とを対比すると、その技術的意義や機能に照らして、後者の「楽器の音あるいは電気信号と基準となる信号との周波数偏差」は前者の「音楽用情報」に、後者の「液晶表示部」は前者の「表示部」に、後者の「入力回路」は前者の「オーディオ入力部材」に、後者の「入力回路からの信号」は前者の「オーディオ信号」に、後者の「入力回路からの信号を波形整形する波形整形回路と、基準信号発生回路と、前記基準信号発生回路の出力信号と前記波形整形回路の波形整形された出力信号を受けて、波形整形された出力信号からピッチを抽出し、抽出したピッチと基準となる周波数との偏差を求め調律判定を行うピッチ抽出演算部と、前記ピッチ抽出演算部の出力信号を受けて液晶表示のセグメントに対応させるための表示データに変換するアドレス指定変換回路」は前者の「『前記オーディオ信号を処理して作成した音楽用情報を前記表示部に出力』する、『制御部』」に相当し、後者の「調律器」は前者の「調律器からなる音楽用電子機器」に、それぞれ相当する。
よって、両者は本願発明の用語を用いて表現すると、
「音楽用情報を表示する表示部と、
　音声や楽器音の入力を受け、オーディオ信号を出力するオーディオ入力部材と、
　前記オーディオ入力部材から出力された前記オーディオ信号を処理して作成した音楽用情報を前記表示部に出力する制御部を有し、
　前記オーディオ信号は、前記音楽用情報を作成するために処理される信号である
　調律器からなる音楽用電子機器。」
で一致し、次の点で相違する。
　
＜相違点１＞
　本願発明が、表示部が照明装置を備え、オーディオ入力部材から出力されたオーディオ信号のレベルが予め設定されたレベル以上であった場合、照明装置を点灯させる制御信号を前記照明装置に出力する制御部を有しているのに対し、引用発明は、液晶表示部が照明装置を備えること自体明確でない点。
＜相違点２＞
　本願発明においては、制御部が、オーディオ入力部材から出力されたオーディオ信号のレベルが予め設定されたレベル以上であった場合、前記オーディオ信号を処理して作成した音楽用情報を前記表示部に出力するものであり、前記オーディオ信号は、そのレベルに応じて音楽用情報の作成を制御する信号であるのに対し、引用発明はそうした構成を備えていない点。
　
４．判断
　次に、これら相違点について検討する。
　
＜相違点１＞
　消費電力を最小限に抑える目的から、電気機器の作動を必要な時に行なわせ、それ以外の時は停止させたり、待機状態にすることは、本願出願前より広く行われている技術と解されるところ、引用例２には、通話開始キー操作及び着呼のいずれか、すなわち必要な操作時に、ＬＥＤなどからなるバックライト、すなわち照明装置を用いて液晶面を照射させる液晶表示装置が示されているから、引用発明の液晶表示部を必要な時に照明装置により照射するようなことは当業者であれば容易になし得ることである。また、引用例３には、照明装置において、検出レベルが調整可能な音声雑音検出回路を備えて、作動に必要な、一定のレベル以上の音声が検出されるのに伴って照明装置を点灯させることが示されている。
　これらを総合すれば、引用発明において、本願発明の相違点１に係る構成とする程度のことは、当業者であれば容易に想到し得ることである。
　
＜相違点２＞
　前述のような消費電力を最小限に抑える観点から、調律器に求められる機能をみれば、調律すべき楽器等の被調律音が入力されたとき、これを作動させればよいことは、当業者が容易に想到し得ることである。
　そして、雑音等も含み得る音の中から、楽器音を被調律音として抽出するにあたり、入力される音のレベルが所定レベル以上の場合とすることは、上記のような消費電力の低減と調律器としての機能を勘案して、当業者が適宜選定し得る程度の設計的事項というべきである。
　してみれば、引用発明において、入力回路からの信号が所定レベル以上であった場合、「入力回路からの信号を波形整形する波形整形回路と、基準信号発生回路と、前記基準信号発生回路の出力信号と前記波形整形回路の波形整形された出力信号を受けて、波形整形された出力信号からピッチを抽出し、抽出したピッチと基準となる周波数との偏差を求め調律判定を行うピッチ抽出演算部と、前記ピッチ抽出演算部の出力信号を受けて液晶表示のセグメントに対応させるための表示データに変換するアドレス指定変換回路」の作動を制御し、その結果を液晶表示部に出力するようにして、本願発明の相違点２に係る構成とすることは、当業者であれば、容易に想到し得ることである。
　そして、本願発明の構成によってもたらされる明細書に記載の効果も、引用発明、引用例２，３に記載された発明から当業者であれば予測できる範囲のものであって、格別なものでない。
　
５．むすび
　したがって、本願発明は、その出願前に引用発明、引用例２，３に記載された発明に基づいて容易に発明をすることができたものであるから、特許法第２９条第２項の規定により、特許を受けることができない。
　よって、結論のとおり審決する。